(57)【要約】【課題】  必要なときに排気口の外側に装着し、所望の方向に排気可能な排気方向変更装置。【解決手段】  画像形成装置内の空気を排気する排気口の外側に装着され、前記排気口から排気される空気の排出方向を少なくとも二方向に変更可能であること。【選択図】        図１
2006113237.tif 000002
【特許請求の範囲】
【請求項１】
画像形成装置内の空気を排気する排気口の外側に装着され、前記排気口から排気される空気の排出方向を少なくとも二方向に変更可能であることを特徴とする排気方向変更装置。
【請求項２】
前記排気口から排気される空気の排気方向を略直角に曲折させる排気ダクトを有することを特徴とする請求項１に記載の排気方向変更装置。
【請求項３】
前記排気ダクトは蛇腹によって形成されていることを特徴とする請求項２に記載の排気方向変更装置。
【請求項４】
前記排気ダクトは可撓性を有する材料によって形成されていることを特徴とする請求項２に記載の排気方向変更装置。
【請求項５】
前記排気ダクトは、前記排気口から排気される空気に干渉しない姿勢と、前記排気口から排気される空気の排出方向を変更する姿勢とに変更可能な排気方向変更部材を有することを特徴とする請求項２に記載の排気方向変更装置。
【請求項６】
前記排気ダクトは排気方向変更装置本体に対して、引き出し及び収納可能なことを特徴とする請求項５に記載の排気方向変更装置。
【請求項７】
ルーバを設けたことを特徴とする請求項１に記載の排気方向変更装置。
【請求項８】
前記排気口の外側に着脱可能であることを特徴とする請求項１〜７の何れか１項に記載の排気方向変更装置。
【請求項９】
少なくとも二種類の姿勢で前記排気口に装着可能であることを特徴とする請求項１〜８の何れか１項に記載の排気方向変更装置。
【請求項１０】
矩形に形成された前記排気口に嵌着可能であることを特徴とする請求項１〜９の何れか１項に記載の排気方向変更装置。
【請求項１１】
正方形に形成された前記排気口に嵌着可能であることを特徴とする請求項１〜９の何れか１項に記載の排気方向変更装置。
【請求項１２】
円形に形成された前記排気口に嵌着可能であることを特徴とする請求項１〜９の何れか１項に記載の排気方向変更装置。
【請求項１３】
画像形成装置内の空気を排気する排気口の外側に装着され、前記排気口から排気される空気を少なくとも二方向に分割して排出することを特徴とする排気方向分割装置。
【請求項１４】
前記排気口の外側に着脱可能であることを特徴とする請求項１３に記載の排気方向分割装置。
【請求項１５】
少なくとも二種類の姿勢で前記排気口に装着可能であることを特徴とする請求項１３又は請求項１４に記載の排気方向分割装置。
【請求項１６】
矩形に形成された前記排気口に嵌着可能であることを特徴とする請求項１３〜１５の何れか１項に記載の排気方向分割装置。
【請求項１７】
正方形に形成された前記排気口に嵌着可能であることを特徴とする請求項１３〜１５の何れか１項に記載の排気方向分割装置。
【請求項１８】
円形に形成された前記排気口に嵌着可能であることを特徴とする請求項１３〜１５の何れか１項に記載の排気方向分割装置。
【請求項１９】
請求項１〜１２の何れか１項に記載の排気方向変更装置、または請求項１３〜１８の何れか１項に記載の排気方向分割装置を備えたことを特徴とする画像形成装置。
【発明の詳細な説明】
【技術分野】
【０００１】
本発明は、複写機、プリンタ、ファクシミリ、及びこれらの諸機能を備えた複合機等の画像形成装置に装着される排気方向変更装置及び排気方向分割装置に関する。
【背景技術】
【０００２】
複写機、プリンタ、ファクシミリ、及びこれらの諸機能を備えた複合機等の画像形成装置、並びにその他の電子装置及び機械装置においては、発熱する電源や定着装置等を内部に備えている。そこで、これらの発熱によって装置内の温度が上昇して他の部品やユニットに悪影響を及ぼさないようにするため、装置内の空気を排気ファンによって送風し、装置の外壁に設けた排気口から排気している。
【０００３】
この排気口は装置の側面や裏面の所定の位置に設けられており、装置をオフィス内に設置した場合、排気口の近傍にて業務を行う人もいる。しかし、排気口からは熱風を始め臭気や騒音も排出されるので、近傍にいる人に不快感を与える。また、排気口の近傍に人がいなくても壁等の障害物があって、効率よく排気できないこともある。
【０００４】
このような場合には、装置の設置場所や設置方向を変えて排気口の向きを変更することが望ましいが、設置空間やレイアウトが限定されたオフィスでは、このような変更が困難な場合が多い。
【０００５】
このような問題を解決するため、画像形成装置内に複数の排気ダクトと複数の排気口を設け、所望の排気口から排気できるように、排気ダクトを切り替え選択可能にした排風機構がある（特許文献１参照）。
【特許文献１】特開２００３−２８０４９４号公報
【発明の開示】
【発明が解決しようとする課題】
【０００６】
上記の如き排気による問題は重要であるが、画像形成装置をオフィス内に設置した場合に常に必ず発生する問題ではないので、問題が発生したときにのみ対処できるように構成することが望ましい。しかるに特許文献１においては、画像形成装置内に複数の排気ダクトと複数の排気口を設けているので、画像形成装置が大型化し、排気による問題が生じないオフィスにおいても広い設置場所が必要になる。
【０００７】
本発明はかかる問題に鑑みてなされたものであり、必要なときに排気口の外側に装着し、所望の方向に排気可能な排気方向変更装置を提案することを目的とする。また、オフィス環境よっては全て一方向に排気するより複数の方向に分割して排気した方が好ましい場合もある。そこで、所望の複数の方向に分割して排気可能な排気方向分割装置を提案することも目的とする。
【課題を解決するための手段】
【０００８】
上記目的は下記の何れかの手段によって達成される。
【０００９】
［請求項１］画像形成装置内の空気を排気する排気口の外側に装着され、前記排気口から排気される空気の排出方向を少なくとも二方向に変更可能であることを特徴とする排気方向変更装置。
【００１０】
［請求項２］前記排気口から排気される空気の排気方向を略直角に曲折させる排気ダクトを有することを特徴とする請求項１に記載の排気方向変更装置。
【００１１】
［請求項３］前記排気ダクトは蛇腹によって形成されていることを特徴とする請求項２に記載の排気方向変更装置。
【００１２】
［請求項４］前記排気ダクトは可撓性を有する材料によって形成されていることを特徴とする請求項２に記載の排気方向変更装置。
【００１３】
［請求項５］前記排気ダクトは、前記排気口から排気される空気に干渉しない姿勢と、前記排気口から排気される空気の排出方向を変更する姿勢とに変更可能な排気方向変更部材を有することを特徴とする請求項２に記載の排気方向変更装置。
【００１４】
［請求項６］前記排気ダクトは排気方向変更装置本体に対して、引き出し及び収納可能なことを特徴とする請求項５に記載の排気方向変更装置。
【００１５】
［請求項７］ルーバを設けたことを特徴とする請求項１に記載の排気方向変更装置。
【００１６】
［請求項８］前記排気口の外側に着脱可能であることを特徴とする請求項１〜７の何れか１項に記載の排気方向変更装置。
【００１７】
［請求項９］少なくとも二種類の姿勢で前記排気口に装着可能であることを特徴とする請求項１〜８の何れか１項に記載の排気方向変更装置。
【００１８】
［請求項１０］矩形に形成された前記排気口に嵌着可能であることを特徴とする請求項１〜９の何れか１項に記載の排気方向変更装置。
【００１９】
［請求項１１］正方形に形成された前記排気口に嵌着可能であることを特徴とする請求項１〜９の何れか１項に記載の排気方向変更装置。
【００２０】
［請求項１２］円形に形成された前記排気口に嵌着可能であることを特徴とする請求項１〜９の何れか１項に記載の排気方向変更装置。
【００２１】
［請求項１３］画像形成装置内の空気を排気する排気口の外側に装着され、前記排気口から排気される空気を少なくとも二方向に分割して排出することを特徴とする排気方向分割装置。
【００２２】
［請求項１４］前記排気口の外側に着脱可能であることを特徴とする請求項１３に記載の排気方向分割装置。
【００２３】
［請求項１５］少なくとも二種類の姿勢で前記排気口に装着可能であることを特徴とする請求項１３又は請求項１４に記載の排気方向分割装置。
【００２４】
［請求項１６］矩形に形成された前記排気口に嵌着可能であることを特徴とする請求項１３〜１５の何れか１項に記載の排気方向分割装置。
【００２５】
［請求項１７］正方形に形成された前記排気口に嵌着可能であることを特徴とする請求項１３〜１５の何れか１項に記載の排気方向分割装置。
【００２６】
［請求項１８］円形に形成された前記排気口に嵌着可能であることを特徴とする請求項１３〜１５の何れか１項に記載の排気方向分割装置。
【００２７】
［請求項１９］請求項１〜１２の何れか１項に記載の排気方向変更装置、または請求項１３〜１８の何れか１項に記載の排気方向分割装置を備えたことを特徴とする画像形成装置。
【発明の効果】
【００２８】
請求項１〜１２に記載の排気方向変更装置によれば、画像形成装置内部の空気の排出方向を少なくとも二方向に変更可能な排気方向変更装置を画像形成装置の排気口の外側に装着するので、従来技術の如く画像形成装置が大型化することなく、簡単な構成で必要に応じて排気口から排気される空気を所望の方向に排出することができる。これにより、設置空間やレイアウトが限定されたオフィスにおいて熱風や臭気等による不快感を大幅に解消することができる。
【００２９】
請求項１３〜１８に記載の排気方向分割装置によれば、画像形成装置内部の空気の排出方向を少なくとも二方向に分割可能な排気方向分割装置を画像形成装置の排気口の外側に装着するので、簡単な構成で必要に応じて排気口から排気される空気を所望の方向に分割して排出することができる。これにより、設置空間やレイアウトが限定されたオフィスにおいて熱風や臭気等が集中して排出されずに分割されて排出されるので、不快感を大幅に解消することができる。
【００３０】
請求項１９に記載の画像形成装置によれば、上記効果を奏することができる。
【発明を実施するための最良の形態】
【００３１】
［第１の実施の形態］
本発明の排気方向変更装置の実施の形態を図を参照して説明する。
【００３２】
先ず、図１に基づいて説明する。図１は画像形成装置に排気方向変更装置を装着することを示す斜視図である。
【００３３】
図１において、画像形成装置１の内部には発熱する定着装置や電源等が配置されており、これらによって加熱された空気を不図示の排気ファンによって送風し、画像形成装置１の背面に設けた排気口１ａから装置外部に排気する。
【００３４】
オフィス内にこの画像形成装置１を設置した場合、排気口１ａに対向した位置で、且つその近傍にて業務を行う人がいると、その人に熱風や臭気で不快感を与える。
【００３５】
このようなときには、画像形成装置１の排気口１ａに外部より排気方向変更装置１０を装着し、詳しくは排気口１ａに排気方向変更装置１０の導入口１１を嵌着する。
【００３６】
また、図２の排気方向変更装置の横断面図に示す如く、排気方向変更装置１０における導入口１１と排出口１２との間の排気ダクト１３は略直角に屈曲して形成されている。
【００３７】
従って、図３の如く、排気方向変更装置１０の排出口１２が左方に位置するように、排気方向変更装置１０を排気口１ａに装着すると、排気口１ａより排気された空気は排気方向変更装置１０の内部で方向が変えられて、排出口１２より左方に排出されるので、排気口１ａに対向する人に不快感を与えない。
【００３８】
また、画像形成装置１に対して排気方向変更装置１０をこのように設置した場合に、左方に空気が排出される排出口１２の近傍にも業務を行う人がいると、その人にも熱風や臭気で不快感を与えてしまう。排気方向変更装置１０は排気口１ａに着脱可能であるので、このようなときには図４に示す如く、排気方向変更装置１０の姿勢を１８０度変えて、排出口１２が右方に位置するように排気方向変更装置１０を排気口１ａに装着すれば、左方に位置する人に対して熱風が逆方向に排出されるので、不快感を与えることがない。
【００３９】
また、図１においては、排気口１ａが正方形に形成されていて、この排気口１ａに正方形に形成された導入口１１を嵌着するので、排出口１２が左右方向のみならず上下方向を向いた姿勢で装着可能であるので、所望の方向を選択して排気方向変更装置１０を排気口１ａに装着することができる。
【００４０】
また、排出口１２から排出される空気の排出方向が例えば左右方向の二方向のみで良ければ、排気口１ａ及び導入口１１を矩形に形成すればよい。
【００４１】
更に、排出口１２の姿勢を任意の方向に変えたい場合には、図５の如く排気口１ａ及びを導入口１１を円形に形成すればよい。
【００４２】
図６は、直角以外に任意の角度で空気を排出できる排気方向変更装置に関し、排気方向変更装置２０は導入口２１と排出口２２との間の排気ダクト２３が蛇腹によって形成されている。従って、図６の姿勢で排気方向変更装置２１を画像形成装置１の排気口１ａに装着した後、排出口２２からの排出方向を水平方向の任意の方向に変更することができる。
【００４３】
また、排気ダクト２３を円筒状の蛇腹にしてもよい。
【００４４】
その他に、図７の如く、排気方向変更装置３０における導入口３１と排出口３２との間の排気ダクト３３をゴムや軟質プラスチックよりなる可撓性を有する材料で形成しても、排出口３２を任意の方向に変更することができる。
【００４５】
図８は排気方向変更装置４０における排気ダクト４３が回動するように構成した図である。排気ダクト４３は円弧状の２枚の側板４３ａと底板４３ｂ（排気方向変更部材）によって略コの字形に形成されていて、排気方向変更装置本体４４に支軸４５によって回動自在に軸支されている。従って、図８（Ａ）に示す如く、底板４３ｂが水平になるように排気ダクト４３を回動させれば、排気口１ａから排出される空気は排気ダクト４３に干渉されずにそのまま水平に排出される。また、図８（Ｂ）に示す如く、底板４３ｂが略４５度の角度になるように排気ダクト４３を回動させれば、排気口１ａから排出される空気の排出方向が底板４３ｂによって変更されて上方に排出される。なお、排気ダクト４３が図８（Ａ）及び図８（Ｂ）の状態で停止するように不図示のクリック機構が設けられている。また、底板４３ｂが水平と４５度の中間の姿勢になるように排気ダクト４３を回動させて、排出口４２から排出される空気を斜め上方に排出させるようにしてもよい。また、排気方向変更装置４０を時計方向若しくは反時計方向に９０度回転させた姿勢で、画像形成装置１の排気口１ａに装着するようにすれば、排気口１ａから排出される空気の排出方向を前述とは異なる方向に変えることができる。
【００４６】
図９及び図１０は排気方向変更装置５０における排気ダクト５３を排気方向変更装置本体５４内で摺動自在に構成した図である。排気ダクト５３はコの字形のダクト部５３ａと、ダクト部５３ａに支軸５３ｂで回動自在に軸支された排気方向変更板５３ｃ（排気方向変更部材）とからなる。従って、図９（Ａ）及び図１０（Ａ）に示す如く、排気方向変更板５３ｃを水平になるように回動させれば、排気口１ａから排出される空気は排気方向変更板５３ｃに干渉されずにそのまま水平に排出される。また、図９（Ｂ）及び図１０（Ｂ）に示す如く、排気方向変更板５３ｃを略４５度の角度になるように回動させれば、排気口１ａから排出される空気の排出方向が排気方向変更板５３ｃによって変更されて上方に排出される。なお、排気方向変更板５３ｃが図９（Ａ）及び図１０（Ａ）、並びに図９（Ｂ）及び図１０（Ｂ）の状態で停止するように不図示のクリック機構を設けてある。更に、排気口１ａから排出される空気が排気方向変更板５３ｃに干渉されずにそのまま排出するようにするときや、画像形成装置１の非使用時には、図９（Ｃ）及び図１０（Ｃ）に示す如く、排気ダクト５３を装置本体５４内に収納することができる。また、必要に応じて排気ダクト５３を装置本体５４から引き出すこともできる。更に、排気方向変更装置５１を時計方向若しくは反時計方向に９０度回転させた姿勢で、画像形成装置１の排気口１ａに装着するようにすれば、排気口１ａから排出される空気の排出方向を前述とは異なる方向に変えることができる。
【００４７】
図１１は排気方向変更装置６０にルーバ６３を設けた図である。図１１において、操作つまみ６４を左右に移動させると、ルーバ６３の向きが左右に変わるので、排気口１ａから排出される空気を左右の任意の方向に排出することができる。また、導入口６１を９０度回転させて排気口１ａに装着すれば、排気口１ａから排出される空気を上下の任意の方向に排出することができる。
【００４８】
［第２の実施の形態］
本発明の排気方向分割装置の実施の形態を図を参照して説明する。
【００４９】
図１２は排気方向分割装置の斜視図、図１３は排気方向分割装置の横断面図である。
【００５０】
両図において、排気方向分割装置７０の導入口７１が図１に示した画像形成装置１の排気口１ａに着脱可能であり、排気方向分割装置７０のダクト７３は導入した空気を二分割するように構成されていて、二つの排出口７２が左右に位置している。従って、排気口１ａから排気された空気は排気方向分割装置７０の内部で二つの方向に分割されて、排出口７２より左右に排出される。また、排気口１ａ及び導入口７１を正方形若しくは円形にすることによって、上下方向等に分割して排出することもできる。
【００５１】
更に、図１４に示す排気方向分割装置８０に示す如く、４方向に排出口８２を設け、排気口１ａから排出される空気を上下左右に分割して排出するようにしてもよい。
【００５２】
従って、排気口１ａから排出される熱風や臭気が一カ所に集中せずに分割して排出されるので、その近くにいる人の不快感が減少する。
【００５３】
また、排気方向分割装置のダクトとして、図６乃至図１１に示した排気方向変更装置のダクトの構成を用いることもできる。
【００５４】
以上の如く説明した排気方向変更装置や排気方向分割装置は、必ずしも画像形成装置にのみ用いるのではなく、必要に応じて各種の電子装置や機械装置に用いることもできる。
【図面の簡単な説明】
【００５５】
【図１】画像形成装置に排気方向変更装置を装着することを示す斜視図である。
【図２】排気方向変更装置の横断面図である。
【図３】排出口が左方に位置するようにして装着した排気方向変更装置の斜視図である。
【図４】排出口が右方に位置するようにして装着した排気方向変更装置の斜視図である。
【図５】排気口及び導入口を円形に形成した斜視図である。
【図６】蛇腹の排気ダクトを有する排気方向変更装置の斜視図である。
【図７】可撓性を有する材料により形成された排気ダクトを有する排気方向変更装置の斜視図である。
【図８】排気ダクトが回動するように構成した排気方向変更装置の斜視図である。
【図９】排気ダクトが回動するように構成すると共に、装置本体に収納可能にした排気方向変更装置の斜視図である。
【図１０】図９に対応する断面図である。
【図１１】ルーバを設けた排気方向変更装置の断面図である。
【図１２】排気方向分割装置の斜視図である。
【図１３】排気方向分割装置の断面図である。
【図１４】四方向に排出可能な排気方向分割装置の斜視図である。
【符号の説明】
【００５６】
１  画像形成装置
１ａ  排気口
１０，２０，３０，４０，５０，６０  排気方向変更装置
１１，２１，３１，７１  導入口
１２，２２，３２，７２，８２  排出口
１３，２３，３３，４３，５３  排気ダクト
４３ｂ  底板
５３ｃ  排気方向変更板
６３  ルーバ
７０，８０  排気方向分割装置
【図１】
2006113237.tif 000003
【図２】
2006113237.tif 000004
【図３】
2006113237.tif 000005
【図４】
2006113237.tif 000006
【図５】
2006113237.tif 000007
【図６】
2006113237.tif 000008
【図７】
2006113237.tif 000009
【図８】
2006113237.tif 000010
【図９】
2006113237.tif 000011
【図１０】
2006113237.tif 000012
【図１１】
2006113237.tif 000013
【図１２】
2006113237.tif 000014
【図１３】
2006113237.tif 000015
【図１４】
2006113237.tif 000016